(57)【要約】      （修正有）【課題】簡単で素早い使用が可能で、広範な実用性を備えた、クッション体の構造を提供する。【解決手段】座布団や背もたれとして使用されるとともに、支持板１０に少なくとも一つの高さ調整ユニット２０ａ，２０ｂ，２０ｃが設けられ、支持板と高さ調整ユニットの間に移動部品ユニット５０が設けられてなる。以上により、移動部品ユニットによって高さ調整ユニットと支持板の組合せ・取外しが可能なため、高さ調整ユニットの支持板における位置を簡単に調整することができる。【選択図】図２
0003193471.tif 000002
【実用新案登録請求の範囲】
【請求項１】
支持板と、少なくとも一つの高さ調整ユニットと、移動部品ユニットとからなる、クッション体の構造であって、
前記高さ調整ユニットは、前記支持板に設けられ、
前記移動部品ユニットは、前記支持板と前記高さ調整ユニットの間に設けられることを特徴とする、クッション体の構造。
【請求項２】
前記支持板には、穿孔が設けられることを特徴とする、請求項１に記載のクッション体の構造。
【請求項３】
前記高さ調整ユニットは、第一エアバッグと、第二エアバッグとからなり、
更に前記高さ調整ユニットの間は、接続管によってつながれていることを特徴とする、請求項１に記載のクッション体の構造。
【請求項４】
前記高さ調整ユニットは、重なり合った第一エアバッグ及び第二エアバッグからなり、
前記第一エアバッグと前記第二エアバッグは、貼合面によって互いに結合され、
更に前記第一エアバッグと第二エアバッグには、対応し合う通し穴が設けられることを特徴とする、請求項１に記載のクッション体の構造。
【請求項５】
前記高さ調整ユニットの外部には、被覆部が設けられ、
前記移動部品ユニットは、前記支持板と前記被覆部の間に設けられることを特徴とする、請求項１に記載のクッション体の構造。
【請求項６】
前記高さ調整ユニットの外部には、弾性ユニットが設けられることを特徴とする、請求項１に記載のクッション体の構造。
【請求項７】
前記移動部品ユニットは、前記支持板と前記高さ調整ユニットにおける対応し合う側面にそれぞれ設けられるとともに相互に組合せ・取外し可能な第一部品と第二部品とからなることを特徴とする、請求項１に記載のクッション体の構造。
【請求項８】
前記移動部品ユニットは、相互に対応し合うとともに粘着・取外し可能な二つのフックファスナーであることを特徴とする、請求項１に記載のクッション体の構造。
【請求項９】
前記支持板一側には、延伸部が設けられ、
前記延伸部には、もう一つの高さ調整ユニットが設けられることを特徴とする、請求項１に記載のクッション体の構造。
【考案の詳細な説明】
【技術分野】
【０００１】
本考案は、クッション体に関し、特に高さ調整ユニットの位置を簡単に調整できるため、簡単で素早い使用が可能で、広範な実用性を備えた、クッション体の構造に関する。
【背景技術】
【０００２】
現代人は一般的に運動不足である。例えば仕事をしたり、パソコンを使ったり、電子ゲームをしたり、テレビをみたりといった場合に、定期的に立ち上がって身体を動かすことを忘れがちになり、長時間にわたって座ったり、寝転んだり、寄りかかったりといった姿勢を続けてしまう。長時間にわたって座ったり、寝転んだり、寄りかかったりする場合は、定期的に起き上がって身体を動かすことにより、循環を促し、エネルギーを消費する方が、健康に良いことは周知のことである。しかし、仕事に集中したり、ゲームに夢中になったり、もしくは個人的習慣により、多くの人は定期的に身体を動かすことができずにいる。このような状況は、体重増加、臀部の緩み等を引き起こす。また、長時間にわたって座ったり、寝転んだり、寄りかかったりすることで、姿勢が悪化し、腰痛や背中の痛み等の文明病を引き起こしてしまう。
【０００３】
このため、身体の特定部分をぴったりと密着させることができるとともに、支持・補正等の効果を有する枕・クッション体の商品や特許技術が現れ、高さや硬さの調節効果を備えているものも見られる。しかし、これらの枕・クッション体の商品や特許技術の構造は、いずれも複雑であることに加え、高低・硬度・補正等の調整効果を同時に備えることができず、人間工学の側面において理想的であるとはいえない。よって本考案者は、従来の枕・クッション体の商品や特許技術における欠陥に対し、高さ調節装置を備えたクッション体に関する特許を発案するとともに、実際にクッション体として商品化した。しかし、前記クッション体商品は、高さ調節装置がクッション体の特定の位置に固定されているため、位置調節ができず、構造・効果において理想的な状態には至っていない。
【０００４】
よって、本考案者は、製品の改良革新を続けるという理念に基き、クッション体のより幅広い実用性と簡単で素早い使用の実現を目指すとともに、長年に渡る商品設計の実務経験を活かし、積極的な研究開発と多数の設計実験を経て、本考案を発案するものである。
【考案の概要】
【考案が解決しようとする課題】
【０００５】
本考案は、移動部品ユニットが設けられることにより、高さ調整ユニットの位置を簡単に調節することができる、クッション体の構造を提供することを目的とする。
【課題を解決するための手段】
【０００６】
上述の目的を達成するため、本考案のクッション体の構造は、支持板と、少なくとも一つの高さ調整ユニットと、移動部品ユニットとからなる。前記高さ調整ユニットは、支持板に設けられる。前記移動部品ユニットは、支持板と高さ調整ユニットの間に設けられる。前記支持板には、穿孔が設けられる。前記高さ調整ユニットは、第一エアバッグと、第二エアバッグとからなるとともに、高さ調整ユニットの間は接続管によってつながれる。前記高さ調整ユニットの第一エアバッグと第二エアバッグは、重なり合って互いの表面が貼合され、且つ第一エアバッグと第二エアバッグには対応する通し穴が設けられる。前記高さ調整ユニットの外部には、被覆部が設けられ、移動部品ユニットは支持板と被覆部の間に設けられる。更に前記高さ調整ユニットの外部には、弾性ユニットが設けられる。前記移動部品ユニットは、互いに組合せ・取外しが可能であるとともに、支持板と高さ調整ユニットにおける対応し合う側面にそれぞれ設けられた、第一部品と、第二部品とからなる。前記移動部品ユニットは、粘着・取外しが可能なように対応する二つのフックファスナーである。前記支持板の一側には、延伸部が設けられ、延伸部にはもう一つの高さ調整ユニットが設けられる。
【考案の効果】
【０００７】
以上の構造により、本考案は、移動部品ユニットによって高さ調整ユニットと支持板の組合せ・取外しをして、高さ調整ユニットの支持板における位置を簡単に調節することができるため、簡単で素早い使用が可能で、より広範な実用性を備えたクッション体を提供することができる。
【図面の簡単な説明】
【０００８】
【図１】本考案の斜視図である。
【図２】本考案の斜視分解図である。
【図３】本考案の高さ調整ユニットの斜視分解図である。
【図４】本考案の高さ調整ユニットにおける排気の実施例を示した断面図である。
【図５】本考案の高さ調整ユニットにおける吸気の実施例を示した断面図である。
【図６】本考案の上面図である。
【図７】本考案の高さ調整ユニットと弾性ユニットと被覆部とによって形成されるＵ字形体による位置調整の実施例を示した上面図（一）である。
【図８】本考案の高さ調整ユニットと弾性ユニットと被覆部とによって形成されるＵ字形体による位置調整の実施例を示した上面図（二）である。
【図９】本考案の実施例２を示した斜視図である。
【図１０】本考案の実施例２を示した部分斜視分解図である。
【図１１】本考案の実施例２における延伸部のＵ字形体による位置調整を示した正面図である。
【考案を実施するための形態】
【０００９】
（実施例１）
図１、図２を参照する。本考案は、人が座ったり、寝転んだり、寄りかかったりすることができるものであり、ここでは座布団を実施例とする。本考案は、支持板１０と、支持板１０上方に設けられた複数の高さ調整ユニット２０ａ・２０ｂ・２０ｃと、弾性体３０と、高さ調整ユニット２０ａ・２０ｂ・２０ｃ及び弾性体３０を覆い包むための被覆部４０と、支持板１０と被覆部４０の間に設けられた移動部品ユニット５０とからなる。以上により、移動部品ユニット５０によって、高さ調整ユニット２０ａ・２０ｂ・２０ｃの支持板１０における位置を調製する。
【００１０】
更に図１、図２を参照する。本考案の支持板１０は、本考案における各種部品の支持台部であるとともに、穿孔１１が設けられる。本考案に人が座った時、穿孔１１が設けられていることにより、通気作用を生じる。
【００１１】
複数の高さ調整ユニット２０ａ・２０ｂ・２０ｃはＵ字形状に配列し、吸気・排気作用によって高さを調整する効果を有する。このうち高さ調整ユニット２０ａは、第一エアバッグ２１ａと、第二エアバッグ２２ａと、気体制御ユニット２３ａとからなる。高さ調整ユニット２０ｂは、第一エアバッグ２１ｂと、第二エアバッグ２２ｂと、気体制御ユニット２３ｂとからなる。高さ調整ユニット２０ｃは、第一エアバッグ２１ｃと、第二エアバッグ２２ｃとからなる。気体制御ユニット２３ｂと第二エアバッグ２２ｃは、接続管２０ｄによってつながっているため、高さ調整ユニット２０ｃには気体制御ユニットが設けられる必要がなく、且つ気体制御ユニット２３ｂによって吸気・排気が制御される。
【００１２】
弾性ユニット３０は、発泡材料（例えばウレタンフォーム）からなるとともに、高さ調整ユニット２０ａ・２０ｂ・２０ｃを覆うことにより、高さ調整ユニット２０ａ・２０ｂ・２０ｃの支持強度を強化し、且つ高さ調整ユニット２０ａ・２０ｂ・２０ｃの外観が整ったＵ字形を形成するようにする。
【００１３】
被覆部４０は、皮や布（例えば網布）からなるとともに、表面部４１と、底部４２とからなることにより、Ｕ字形状に配列した高さ調整ユニット２０ａ・２０ｂ・２０ｃ及び弾性ユニット３０を覆い包んで保護する。
【００１４】
移動部品ユニット５０は、被覆部４０底部に設けられた複数の第一組件５１と、支持板１０上部に設けられた複数の第二部品５２とからなる。本実施例において、第一部品５１と第二部品５２は、粘着・取外しが可能なように対応する二つのフックファスナーである。
【００１５】
図３、図４、図５を参照する。本考案の高さ調整ユニット２０ａ・２０ｂ・２０ｃは、構造が同様であるため、ここでは高さ調整ユニット２０ａについてのみ簡単に説明する。高さ調整ユニット２０ａの第一エアバッグ２１ａ・第二エアバッグ２２ａには、発泡材料（例えばウレタンフォーム）からなる弾性体２１１ａ・２２１ａがそれぞれ設けられる。気体制御ユニット２３ａは、第二エアバッグ２２ａに設けられた弁体を有することにより、外部からの空気の吸気（図５参照）、及び第一エアバッグ２１ａ・第二エアバッグ２２ａ中の空気が圧縮された後の排気（図４参照）を制御する。本考案は、主に第一エアバッグ２１ａと第二エアバッグ２２ａの貼合面における一部分が互いに結合するとともに、第一エアバッグ２１ａと第二エアバッグ２２ａに対応する通し穴２１２ａ・２２２ａが設けられることにより、第一エアバッグ２１ａと第二エアバッグ２２ａ中の空気が互いに流れるため、気体制御ユニット２３ａによって第一エアバッグ２１ａ・第二エアバッグ２２ａの圧縮（図４参照）、或いは膨張（図５参照）を制御することができる。また更に、第一エアバッグ２１ａと第二エアバッグ２２ａの高さ及び硬さを調整することができる。
【００１６】
図６、図７、図８を参照する。本考案の複数の高さ調整ユニット２０ａ・２０ｂ・２０ｃと、弾性ユニット３０と、被覆部４０とによって形成されるＵ字形体は、人の臀部の支持や補正、正しい姿勢の維持を行う。移動部品ユニット５０の第一部品５１及び第二部品５２は組合せ・取外しが可能であるため、Ｕ字形体の二側辺部を内・外向きに位置調整し、Ｕ字形体の閉止側辺部を前後左右に位置調整することができる。よって、本考案は、極めて良好な支持性を備えており、どのような人の臀部も支えることができる。
【００１７】
（実施例２）
図９、図１０を参照する。本考案の実施例２は、座布団・背もたれとして使用される構造であり、主に支持板１０一側に垂直状の延伸部１２が設けられ、更に延伸部１２に、高さ調整ユニット６０ａ・６０ｂと弾性ユニット７０と被覆部８０と移動部品ユニット９０（被覆部８０に設けられた複数の第一組件９１、及び延伸部１２に設けられた複数の第二部品９２を含む）とによって形成されたＵ字形体が設けられる。実施例２において、二つの高さ調整ユニット６０ａ・６０ｂは、前記Ｕ字形体の二側辺部にそれぞれ設けられる。尚、前記Ｕ字形体の封閉側辺部には、高さ調整ユニットは設けられない。以上の構造により、本考案は人の臀部を支持・補正するだけでなく、座る時に背中を密着させる背もたれとしても利用でき、良好な姿勢を保つのに役立つ。
【００１８】
図１１を参照する。本考案の実施例２において、延伸部１２に設けられたもう一つのＵ字形体における二側辺部は、移動部品ユニット９０の組合せ・取外し作用によって、左右方向への位置調整が可能である。
【００１９】
以上に挙げた本考案の実施例は、説明のための構造であり、本考案の意義を制限するものではない。本考案の登録請求の範囲に基づく設計の変化は、いずれも本考案の請求の範囲に含まれる。
【符号の説明】
【００２０】
１０          支持板
１１          穿孔
１２          延伸部
２０ａ        高さ調整ユニット
２１ａ        第一エアバッグ
２１１ａ      弾性体
２１２ａ      通し穴
２２ａ        第二エアバッグ
２２１ａ      弾性体
２２２ａ      通し穴
２３ａ        気体制御ユニット
２０ｂ        高さ調整ユニット
２１ｂ        第一エアバッグ
２２ｂ        第二エアバッグ
２３ｂ        気体制御ユニット
２０ｃ        高さ調整ユニット
２１ｃ        第一エアバッグ
２２ｃ        第二エアバッグ
２０ｄ        接続管
３０          弾性ユニット
４０          被覆部
４１          表面部
４２          底部
５０          移動部品ユニット
５１          第一部品
５２          第二部品
６０ａ        高さ調整ユニット
６０ｂ        高さ調整ユニット
７０          弾性ユニット
８０          被覆部
９０          移動部品ユニット
９１          第一部品
９２          第二部品
【図１】
0003193471.tif 000003
【図２】
0003193471.tif 000004
【図３】
0003193471.tif 000005
【図４】
0003193471.tif 000006
【図５】
0003193471.tif 000007
【図６】
0003193471.tif 000008
【図７】
0003193471.tif 000009
【図８】
0003193471.tif 000010
【図９】
0003193471.tif 000011
【図１０】
0003193471.tif 000012
【図１１】
0003193471.tif 000013